(57)【特許請求の範囲】
【請求項１】
絶縁基板、該絶縁基板の一表面に設けられる透明導電膜、及び該透明導電膜に接続される電極対を備える第１電極板と、
絶縁基板、該絶縁基板の一表面に設けられる透明導電膜、及び該透明導電膜に接続される電極対を備える第２電極板とが、
該透明導電膜を互いに導通接触可能に対向かつ離間させた相対配置で組み合わされる一対の電極板と、
前記第２電極板の、前記透明導電膜を備えた面とは反対側の面に、前記一対の電極板の前記電極対の複数の端部に個別に接続される複数の導線を有するフレキシブル配線板とを有するタッチパネルであって、
前記フレキシブル配線板は、ロの字型の窓部を有する枠体であり、該枠体は、前記複数の導線を有する、該枠体から突出する２つの突出部と、前記フレキシブル配線板の接続部を有しており、
前記フレキシブル配線板は、その両面に、更に、それぞれ前記第２電極板と、タッチパネルを取り付ける筐体と、に貼り合わせる粘着層を有していて、
前記筐体は、タッチパネルを筐体に固定する筐体押さえを有しており、
前記突出部を折り曲げて、前記第１電極板と前記第２電極板の間に配置し、
前記突出部の前記複数の導線の端部を、前記第一対の電極板の前記電極対の複数の端部にそれぞれ接続することを特徴とする、タッチパネル。
【請求項２】
前記フレキシブル配線板の前記枠体には、前記第１電極板の近接する２つの側面を覆うようにされた、２つの突出部を更に有することを特徴とする、請求項１に記載のタッチパネル。
【請求項３】
絶縁基板、該絶縁基板の一表面に設けられる透明導電膜、及び該透明導電膜に接続される電極対を備える第１電極板と、
絶縁基板、該絶縁基板の一表面に設けられる透明導電膜、及び該透明導電膜に接続される電極対を備える第２電極板とが、
該透明導電膜を互いに導通接触可能に対向かつ離間させた相対配置で組み合わされる一対の電極板と、
前記第１電極板の、前記透明導電膜を備えた面とは反対側の面に、前記一対の電極板の前記電極対の複数の端部に個別に接続される複数の導線を有するフレキシブル配線板とを有するタッチパネルであって、
前記フレキシブル配線板は、ロの字型の窓部を有する枠体であり、該枠体は、前記複数の導線を有する、該枠体から突出する２つの突出部と、前記フレキシブル配線板の接続部を有しており、
前記フレキシブル配線板は、その両面に、更に、それぞれタッチパネルを取り付ける筐体と筐体押さえを前記タッチパネルに貼り合わせる粘着層を有していて、
前記突出部を折り曲げて、前記第１電極板と前記第２電極板の間に配置し、
前記突出部の前記複数の導線の端部を、前記一対の電極板の前記電極対の複数の端部にそれぞれ接続することを特徴とする、タッチパネル。
【請求項４】
前記フレキシブル配線板の前記枠体には、前記第１電極板の近接する２つの側面を覆うようにされた、２つの突出部を更に有することを特徴とする、請求項３に記載のタッチパネル。
【請求項５】
絶縁基板、該絶縁基板の一表面に設けられる透明導電膜、及び該透明導電膜に接続される電極対を備える第１電極板と、
絶縁基板、該絶縁基板の一表面に設けられる透明導電膜、及び該透明導電膜に接続される電極対を備える第２電極板とが、
該透明導電膜を互いに導通接触可能に対向かつ離間させた相対配置で組み合わされる一対の電極板と、
前記第２電極板の、近接する２つの側面を覆って、前記一対の電極板の前記電極対の複数の端部に個別に接続される複数の導線を有するフレキシブル配線板と、を有するタッチパネルであって、
前記フレキシブル配線板は、略Ｌ字型であって、該フレキシブル配線板の２つの端部周辺からそれぞれ突出する、前記第１電極板と前記第２電極板の前記電極対の複数の端部に個別に接続される前記複数の導線を有する突出部を有しており、
前記フレキシブル配線板は、更に、その両面に、それぞれ前記第２電極板と、タッチパネルを取り付ける筐体と、に貼り合わせる粘着層を有していて、
前記筐体は、タッチパネルを筐体に固定する筐体押さえを有しており、
前記突出部を折り曲げて、前記第１電極板と前記第２電極板の間に配置し、
前記突出部の前記複数の導線を、前記一対の電極板の前記電極対の複数の端部にそれぞれ接続することを特徴とする、タッチパネル。
【請求項６】
前記フレキシブル配線板は、前記第２電極板の前記透明導電膜を備えた面とは反対側の面をカバーする、ロの字型の窓部を有する枠体を、更に備えることを特徴とする、請求項５に記載のタッチパネル。
【請求項７】
絶縁基板、該絶縁基板の一表面に設けられる透明導電膜、及び該透明導電膜に接続される電極対を備える第１電極板と、
絶縁基板、該絶縁基板の一表面に設けられる透明導電膜、及び該透明導電膜に接続される電極対を備える第２電極板とが、
該透明導電膜を互いに導通接触可能に対向かつ離間させた相対配置で組み合わされる一対の電極板と、
前記第１電極板の、近接する２つの側面を覆って、前記一対の電極板の前記電極対の複数の端部に個別に接続される複数の導線を有するフレキシブル配線板と、を有するタッチパネルであって、
前記フレキシブル配線板は、略Ｌ字型であって、該フレキシブル配線板の２つの端部周辺からそれぞれ突出する、前記第１電極板と前記第２電極板の前記電極対の複数の端部に個別に接続される前記複数の導線を有する突出部を有しており、
前記フレキシブル配線板は、更に、その両面に、それぞれタッチパネルを取り付ける筐体と筐体押さえを前記タッチパネルに貼り合わせる粘着層を有していて、
前記突出部を折り曲げて、前記第１電極板と前記第２電極板の間に配置し、
前記突出部の前記複数の導線を、前記一対の電極板の前記電極対の複数の端部にそれぞれ接続することを特徴とする、タッチパネル。
【請求項８】
前記フレキシブル配線板は、前記第１電極板の前記透明導電膜を備えた面とは反対側の面をカバーする、ロの字型の窓部を有する枠体を、更に備えることを特徴とする、請求項７に記載のタッチパネル。
【請求項９】
前記筐体押さえを、緩衝材に置き換えたことを特徴とする、請求項１〜７のいずれか一項に記載のタッチパネル。
【請求項１０】
前記緩衝材は、クッションであることを特徴とする、請求項９に記載のタッチパネル。
【請求項１１】
前記筐体押さえを、保護用のアクリル板に置き換えたことを特徴とする、請求項１〜７のいずれか一項に記載のタッチパネル。
【発明の詳細な説明】
【技術分野】
【０００１】
ＩＴＯ（インジウムと錫との酸化物）等の透明導電膜を有する上部電極板と下部電極板とを所定の間隔を開けて対向させて形成されたタッチパネルは、指先等による上部電極板の押し下げで、上部電極板と下部電極板の透明導電膜を接触させ、電気的接続により、その押し下げ位置を検出する。従って、通常、上部電極板と下部電極板は、間隙を空けて接着剤などにより、貼り合せられている。
【背景技術】
【０００２】
特許文献１では、透明絶縁基材の上面に透明導電膜を有する下側電極部材と、可撓性を有する透明絶縁基材の下面に透明導電膜を有する上側電極部材とを備えたアナログ抵抗膜方式のタッチパネルを開示している。透明絶縁基材の片面の全面または所定部分に透明導電膜を設け、透明導電膜を介して透明絶縁基材の辺部分に互いに平行に延びる一対のバスバーを設けている。更に、上側電極部材と下側電極部材との間に、枠状でかつその一片において枠外に外部接続部を一体的に突出する屈曲性を有する、絶縁基材の上面および下面にバスバーと接続し外部接続部へ導出する引き回し回路を設けた回路シートを配置している。この構成により、タッチパネルの四辺において狭額縁化が可能であり、タッチパネルを備えた製品の小型化と、形状の自由度の向上が達成される。
【０００３】
【特許文献１】特開２００４−２４０６６２号公報
【発明の開示】
【発明が解決しようとする課題】
【０００４】
特許文献１のタッチパネルでは、上側電極部材、回路シートおよび下側電極部材をそれらの周辺部において互いに接着する、粘着層を構成する接着材料は、枠状の両面テープ、接着剤または粘着材からなる粘着層などであり、回路シートとともにスペーサを兼ねることもできる。しかし、タッチパネルを筐体に取り付けるときに、別の粘着層を設ける必要があり、部品点数が多くなるという問題があった。
【０００５】
本発明の目的は、フレキシブル配線板に粘着層を設けることにより、部品点数を削減できるタッチパネルを提供することである。本発明の他の目的は、フレキシブル配線板の引き回し部分を上部電極板または下部電極板の側面に設けることにより、狭い額縁のタッチパネルを提供することである。
【課題を解決するための手段】
【０００６】
上記目的を達成するために、本発明によれば以下のような特徴を有するタッチパネルが提供される。
【０００７】
請求項１のタッチパネルでは、絶縁基板、絶縁基板の一表面に設けられる透明導電膜、及び透明導電膜に接続される電極対を備える第１電極板と、絶縁基板、絶縁基板の一表面に設けられる透明導電膜、及び透明導電膜に接続される電極対を備える第２電極板とが、透明導電膜を互いに導通接触可能に対向かつ離間させた相対配置で組み合わされる一対の電極板と、第２電極板の、透明導電膜を備えた面とは反対側の面に、一対の電極板の電極対の複数の端部に個別に接続される複数の導線を有するフレキシブル配線板とを有するタッチパネルであって、フレキシブル配線板は、ロの字型の窓部を有する枠体であり、枠体は、複数の導線を有する、枠体から突出する２つの突出部と、フレキシブル配線板の接続部を有しており、フレキシブル配線板は、その両面に、更に、それぞれ第２電極板と、タッチパネルを取り付ける筐体と、に貼り合わせる粘着層を有していて、筐体は、タッチパネルを筐体に固定する筐体押さえを有しており、突出部を折り曲げて、第１電極板と第２電極板の間に配置し、突出部の複数の導線の端部を、第一対の電極板の電極対の複数の端部にそれぞれ接続することを特徴とする。
【０００８】
請求項２のタッチパネルでは、フレキシブル配線板の枠体には、第２電極板の近接する２つの側面を覆うようにされた、２つの突出部を、更に有することを特徴とする。
【０００９】
請求項３のタッチパネルでは、絶縁基板、絶縁基板の一表面に設けられる透明導電膜、及び透明導電膜に接続される電極対を備える第１電極板と、絶縁基板、絶縁基板の一表面に設けられる透明導電膜、及び透明導電膜に接続される電極対を備える第２電極板とが、透明導電膜を互いに導通接触可能に対向かつ離間させた相対配置で組み合わされる一対の電極板と、第１電極板の、透明導電膜を備えた面とは反対側の面に、一対の電極板の電極対の複数の端部に個別に接続される複数の導線を有するフレキシブル配線板とを有するタッチパネルであって、フレキシブル配線板は、ロの字型の窓部を有する枠体であり、枠体は、複数の導線を有する、枠体から突出する２つの突出部と、フレキシブル配線板の接続部を有しており、フレキシブル配線板は、その両面に、更に、それぞれタッチパネルを取り付ける筐体と筐体押さえをタッチパネルに貼り合わせる粘着層を有していて、突出部を折り曲げて、第１電極板と第２電極板の間に配置し、突出部の複数の導線の端部を、一対の電極板の電極対の複数の端部にそれぞれ接続することを特徴とする。
【００１０】
請求項４のタッチパネルでは、請求項３に記載の発明において、フレキシブル配線板の枠体には、第１電極板の近接する２つの側面を覆うようにされた、２つの突出部を更に有することを特徴とする。
【００１１】
請求項５のタッチパネルでは、絶縁基板、絶縁基板の一表面に設けられる透明導電膜、及び透明導電膜に接続される電極対を備える第１電極板と、絶縁基板、絶縁基板の一表面に設けられる透明導電膜、及び透明導電膜に接続される電極対を備える第２電極板とが、透明導電膜を互いに導通接触可能に対向かつ離間させた相対配置で組み合わされる一対の電極板と、第２電極板の、近接する２つの側面を覆って、一対の電極板の電極対の複数の端部に個別に接続される複数の導線を有するフレキシブル配線板と、を有するタッチパネルであって、フレキシブル配線板は、略Ｌ字型であって、フレキシブル配線板の２つの端部周辺からそれぞれ突出する、第１電極板と第２電極板の電極対の複数の端部に個別に接続される複数の導線を有する突出部を有しており、フレキシブル配線板は、更に、その両面に、それぞれ第２電極板と、タッチパネルを取り付ける筐体と、に貼り合わせる粘着層を有していて、突出部を折り曲げて、第１電極板と第２電極板の間に配置し、突出部の複数の導線を、一対の電極板の電極対の複数の端部にそれぞれ接続することを特徴とする。
【００１２】
請求項６のタッチパネルでは、請求項５に記載の発明において、フレキシブル配線板は、第２電極板の透明導電膜を備えた面とは反対側の面をカバーする、ロの字型の窓部を有する枠体を、更に備えることを特徴とする。
【００１３】
請求項７のタッチパネルでは、絶縁基板、絶縁基板の一表面に設けられる透明導電膜、及び透明導電膜に接続される電極対を備える第１電極板と、絶縁基板、絶縁基板の一表面に設けられる透明導電膜、及び透明導電膜に接続される電極対を備える第２電極板とが、透明導電膜を互いに導通接触可能に対向かつ離間させた相対配置で組み合わされる一対の電極板と、第１電極板の、近接する２つの側面を覆って、一対の電極板の電極対の複数の端部に個別に接続される複数の導線を有するフレキシブル配線板と、を有するタッチパネルであって、フレキシブル配線板は、略Ｌ字型であって、フレキシブル配線板の２つの端部周辺からそれぞれ突出する、第１電極板と第２電極板の電極対の複数の端部に個別に接続される複数の導線を有する突出部を有しており、フレキシブル配線板は、更に、その両面に、それぞれタッチパネルを取り付ける筐体と筐体押さえをタッチパネルに貼り合わせる粘着層を有していて、突出部を折り曲げて、第１電極板と第２電極板の間に配置し、突出部の複数の導線を、一対の電極板の電極対の複数の端部にそれぞれ接続することを特徴とする。
【００１４】
請求項８のタッチパネルでは、請求項７に記載の発明において、フレキシブル配線板は、第１電極板の透明導電膜を備えた面とは反対側の面をカバーする、ロの字型の窓部を有する枠体を、更に備えることを特徴とする。
【００１５】
請求項９のタッチパネルでは、請求項１〜７のいずれか一項に記載の発明において、筐体押さえを、緩衝材に置き換えたことを特徴とする。
【００１６】
請求項１０のタッチパネルでは、請求項９の発明において、緩衝材は、クッションであることを特徴とする。
請求項１１のタッチパネルでは、請求項１〜７のいずれか一項に記載の発明において、記筐体押さえを、保護用のアクリル板に置き換えたことを特徴とする。
【発明の効果】
【００１７】
請求項１に記載の発明によれば、フレキシブル配線板は、更に、第２電極板とタッチパネルを取り付ける筐体と、に貼り合わせる粘着層を有していて、突出部を折り曲げて、第１電極板と第２電極板の間に配置し、突出部の複数の導線の端部を、一対の電極板の電極対の複数の端部にそれぞれ接続するので、筐体をタッチパネルに取り付ける際の粘着層を別に設ける必要がなく、部品点数の削減を行なうことができる。
【００１８】
請求項２に記載の発明によれば、フレキシブル配線板の枠体には、第２電極板の近接する２つの側面を覆うようにされた、２つの突出部を更に有するので、枠体にタッチパネルをよりしっかりと固定することができる。
【００１９】
請求項３に記載の発明によれば、フレキシブル配線板は、筐体と筐体押さえをタッチパネルに取り付ける粘着層を有しているので、この構成によっても、筐体をタッチパネルに取り付ける際の粘着層を別に設ける必要がなく、部品点数の削減を行なうことができる。
【００２０】
請求項４に記載の発明によれば、フレキシブル配線板の枠体には、第１電極板の近接する２つの側面を覆うようにされた、２つの突出部を更に有するので、筐体にタッチパネルをよりしっかりと固定することができる。
【００２１】
請求項５に記載の発明によれば、フレキシブル配線板は、略Ｌ字型であって、フレキシブル配線板の２つの端部周辺からそれぞれ突出する、第１電極板と第２電極板の電極対の複数の端部に個別に接続される複数の導線の複数の端部を有する突出部を有しており、フレキシブル配線板は、更に、タッチパネルを筐体と第２電極板に取り付ける粘着層と、フレキシブル配線板の接続部を有しているので、筐体をタッチパネルに取り付ける際の粘着層を新たに設ける必要がなく、部品点数の削減を行なうことができると共に、狭い額縁を有するタッチパネルを提供することができる。
【００２２】
請求項６に記載の発明によれば、フレキシブル配線板は、第２電極板の透明導電膜を備えた面とは反対側の面をカバーする、ロの字型の窓部を有する枠体を、更に備えているので、第２電極板によりしっかりと固定することができる。
【００２３】
請求項７に記載の発明によれば、フレキシブル配線板は、更に、その両面に、それぞれタッチパネルを取り付ける筐体と筐体押さえをタッチパネルに貼り合わせる粘着層を有していているので、筐体と筐体押さえをタッチパネルに取り付ける際の粘着層を新たに設ける必要がなく、部品点数の削減を行なうことができると共に、狭い額縁を有するタッチパネルを提供することができる。
【００２４】
請求項８に記載の発明によれば、フレキシブル配線板は、第１電極板の透明導電膜を備えた面とは反対側の面をカバーする、ロの字型の窓部を有する枠体を、更に備えているので、第１電極板によりしっかりと固定することができる。
【００２５】
請求項９に記載の発明によれば、筐体押さえを緩衝材に置き換えたので、タッチパネルの仕様に応じて、衝撃に強いタッチパネルを提供することが出来る。
【００２６】
請求項１０に記載の発明によれば、緩衝材は、クッション材であるので、タッチパネルの仕様に応じて、市販のクッション材を使用できるので、安価で衝撃に強いタッチパネルを提供することができる。
【００２７】
請求項１１に記載の発明によれば、筐体押さえを保護用のアクリル板に置き換えたので、衝撃に強く、汚や湿気に強いタッチパネルを提供することができる。
【発明を実施するための最良の形態】
【００２８】
以下、添付図面を参照して、本発明の実施の形態を詳細に説明する。全図面に渡り、対応する構成要素には共通の参照符号を付す。図１は、本発明の第一実施形態のタッチパネル１の平面図を示す。図２は、タッチパネル１を枠部と枠押さえで固定したときの平面図を示す。図３は、図２のＡ-Ａ断面図を示す。図４は、タッチパネル１のフレキシブル配線板の平面図を示す。図５は、タッチパネル１の第２電極板にフレキシブル配線板を取り付けたときの平面図を示す。
【００２９】
タッチパネル１は、絶縁基板２、絶縁基板２の一表面に設けられる透明導電膜３、及び透明導電膜３に接続される電極対４を備える第１電極板５と、絶縁基板２、絶縁基板２の一表面に設けられる透明導電膜３、及び透明導電膜３に接続される電極対４を備える第２電極板６とが、透明導電膜３を互いに導通接触可能に対向かつフレキシブル配線板７の突出部８と粘着層９により離間させた相対配置で組み合わされる一対の電極板１０と、第２電極板６の、透明導電膜３を備えた面とは反対側の面１１に、一対の電極板１０の電極対４の複数の端部１３に個別に接続される複数の導線２３を有するフレキシブル配線板７とを有する。
【００３０】
フレキシブル配線板７は、ロの字型の窓部１３を有する枠体１４であって、枠体１４は、複数の導線２３を有する、枠体１４から突出する２つの突出部８と、フレキシブル配線板７の接続部１６を有している。フレキシブル配線板７は、その両面に、更に、それぞれ第２電極板６とタッチパネル１を取り付ける筐体１８とに貼り合わせる粘着層１９を有している。筐体１８は、タッチパネル１を筐体に固定する筐体押さえ２０を有している。突出部８を折り曲げて、第１電極板５と第２電極板６の間に配置し、突出部８の複数の導線２３の端部１７Ａと１７Ｂ（スルーホール）を、一対の電極板１０の電極対４の複数の端部１３にそれぞれ接続する。
【００３１】
フレキシブル配線板７は、更に、第２電極板６と筐体１８に貼り合わせる粘着層１９を有していて、突出部８には、それぞれ複数の導線２３が配置され、突出部８を折り曲げて、第１電極板５と第２電極板６の間に配置し、突出部８の複数の導線２３を、一対の電極板１０の電極対４の複数の端部１３にそれぞれ接続するので、筐体１８と筐体押さえ２０をタッチパネル１に取り付ける際に新たに粘着層を設ける必要がなく、部品点数の削減を行なうことができる。
【００３２】
図６は、本発明の第二実施形態のタッチパネル５０のフレキシブル配線板５７を示す。フレキシブル配線板５７以外は、第一実施形態によるタッチパネル１と実質的に同一の構成を有する。従って、対応する構成要素には、共通の参照符号を付してその説明を省略する。フレキシブル配線板５７の枠体１４には、第２電極板６の近接する２つの側面２２を覆うようにされた（図１参照のこと）、２つの突出部５１を有するので、筐体１８にタッチパネル５０をよりしっかりと固定することができる。
【００３３】
図７は、本発明の第三実施形態のタッチパネル１００を図１のタッチパネル１と置き換えたときのＡ-Ａ断面図を示す。フレキシブル配線板７が第１電極板５に貼り合わせられている以外は、第一実施形態によるタッチパネル１と実質的に同一の構成を有する。従って、対応する構成要素には、共通の参照符号を付してその説明を省略する。
【００３４】
タッチパネル１００は、絶縁基板２、絶縁基板２の一表面に設けられる透明導電膜３、及び透明導電膜３に接続される電極対４を備える第１電極板５と、絶縁基板２、絶縁基板２の一表面に設けられる透明導電膜３、及び透明導電膜３に接続される電極対４を備える第２電極板６とが、透明導電膜３を互いに導通接触可能に対向かつ、フレキシブル配線板７の突出部８と粘着層９により離間させた相対配置で組み合わされる一対の電極板１０と、第１電極板５の、透明導電膜３を備えた面とは反対側の面に、一対の電極板１０の電極対４の複数の端部に個別に接続される複数の導線２３を有するフレキシブル配線板７とを有する。
【００３５】
フレキシブル配線板７は、ロの字型の窓部１３を有する枠体１４であって、枠体１４は、複数の導線２３を有する、枠体１４から突出する２つの突出部８と、フレキシブル配線板の接続部１６を有しており、フレキシブル配線板７は、その両面に、更に、それぞれタッチパネル１００を取り付ける筐体１８と筐体押さえ２０をタッチパネル１００に貼り合わせる粘着層１９を有していて、筐体１８は、タッチパネル１００を筐体１８に固定する筐体押さえ２０を有しており、突出部８を折り曲げて、第１電極板５と第２電極板６の間に配置し、突出部８の複数の導線２３の端部１７Ａと１７Ｂを一対の電極板１０の電極対４の複数の端部１３にそれぞれ接続する。
【００３６】
図６は、本発明の第四実施形態のタッチパネル１５０のフレキシブル配線板５７を示す。フレキシブル配線板５７以外は、第三実施形態によるタッチパネル１と実質的に同一の構成を有する。従って、対応する構成要素には、共通の参照符号を付してその説明を省略する。フレキシブル配線板５７の枠体１４には、第２電極板６の近接する２つの側面２２を覆うようにされた（図１参照のこと）、２つの突出部５１を有するので、枠体１４にタッチパネル１５０をよりしっかりと固定することができる。
【００３７】
図８は、本発明の第五実施形態のタッチパネル２００を図１のタッチパネル１と置き換えたときのＡ方向から見た時の部分斜視図を示す。図９は本発明の第五実施形態のタッチパネル２００のフレキシブル配線板２０７を示す。フレキシブル配線板７以外は、第一実施形態によるタッチパネル１と実質的に同一の構成を有する。従って、対応する構成要素には、共通の参照符号を付してその説明を省略する。
【００３８】
タッチパネル２００は、絶縁基板２、絶縁基板２の一表面に設けられる透明導電膜３、及び透明導電膜３に接続される電極対４を備える第１電極板５と、絶縁基板２、絶縁基板２の一表面に設けられる透明導電膜３、及び透明導電膜３に接続される電極対４を備える第２電極板６とが、透明導電膜３を互いに導通接触可能に対向かつ、フレキシブル配線板７の突出部８と粘着層９により離間させた相対配置で組み合わされる一対の電極板１０と、第２電極板６の、近接する２つの側面２２を覆って、一対の電極板１０の電極対４の複数の端部１３に個別に接続される複数の導線２３を有するフレキシブル配線板２０７と、を有する。
【００３９】
フレキシブル配線板２０７は、略Ｌ字型であって、フレキシブル配線板２０７の２つの端部周辺２４からそれぞれ突出する、第１電極板５と第２電極板６の電極対４の複数の端部１３に個別に接続される複数の導線２３を有する各々２つの突出部２５を有している。フレキシブル配線板２０７は、更に、その両面に、それぞれ第２電極板６と、タッチパネル２００を取り付ける筐体１８と、に貼り合わせる粘着層１９を有していて、筐体１８は、タッチパネル２００を筐体１８に固定する筐体押さえ２０を有しており、各々２つの突出部２５を折り曲げて、第１電極板５と第２電極板６の間に配置する。
【００４０】
各々２つの突出部２５の複数の導線２３の端部１７Ａと１７Ｂを、一対の電極板１０の電極対４の複数の端部１３にそれぞれ接続する。
【００４１】
フレキシブル配線板２０７は、略Ｌ字型であって、フレキシブル配線板２０７の２つの端部周辺２４からそれぞれ突出する、第１電極板５と第２電極板６の電極対４の複数の端部１３に個別に接続される、複数の導線２３の複数の端部１７Ａと１７Ｂを有する各々２つの突出部２５を有している。フレキシブル配線板２０７は、更に、その両面にそれぞれ第２電極板６とタッチパネルを取り付ける筐体１８に貼り合わせる粘着層１９と、フレキシブル配線板２０７の接続部１６を有している。筐体１８をタッチパネル２００に取り付ける際の粘着層を新たに設ける必要がなく、部品点数の削減を行なうことができると共に、狭い額縁を有するタッチパネルを提供することができる。
【００４２】
図１０は、本発明の第六実施形態のタッチパネル３００のフレキシブル配線板３０７を示す。フレキシブル配線板３０７以外は、第五実施形態によるタッチパネル２００と実質的に同一の構成を有する。従って、対応する構成要素には、共通の参照符号を付してその説明を省略する。
フレキシブル配線板３０７は、第２電極板６の透明導電膜３を備えた面とは反対側の面をカバーする、ロの字型の窓部１３を有する枠体１４を、更に備えているので、第２電極板６に、よりしっかりと固定することができる。
【００４３】
図１１は、本発明の第七実施形態のタッチパネル４００を図１のタッチパネル１と置き換えたときのＡ方向から見た時の部分斜視図を示す。図９は本発明の第七実施形態のタッチパネル４００のフレキシブル配線板２０７を示す。フレキシブル配線板２０７が第１電極板５の透明導電膜３を備えた面とは反対側の面１１に貼り合わせられている以外は、第五実施形態によるタッチパネル２００と実質的に同一の構成を有する。従って、対応する構成要素には、共通の参照符号を付してその説明を省略する。
【００４４】
タッチパネル４００は、絶縁基板２、絶縁基板２の一表面に設けられる透明導電膜３、及び透明導電膜３に接続される電極対４を備える第１電極板５と、絶縁基板２、絶縁基板２の一表面に設けられる透明導電膜３、及び透明導電膜３に接続される電極対４を備える第２電極板６とが、透明導電膜３を互いに導通接触可能に対向かつ、フレキシブル配線板７の突出部８と粘着層９により離間させた相対配置で組み合わされる一対の電極板１０と、第１電極板５の、近接する２つの側面２２を覆って、一対の電極板１０の電極対４の複数の端部１３に個別に接続される複数の導線２３を有するフレキシブル配線板２０７と、を有する。
【００４５】
フレキシブル配線板２０７は、略Ｌ字型であって、フレキシブル配線板２０７の２つの端部周辺２４からそれぞれ突出する、第１電極板５と第２電極板６の電極対４の複数の端部１３に個別に接続される複数の導線２３を有する各々２つの突出部２５を有している。フレキシブル配線板２０７は、更に、その両面に、それぞれタッチパネル４００を取り付ける筐体１８と筐体押さえ２０をタッチパネル４００に貼り合わせる粘着層１９を有していて、筐体１８は、タッチパネル４００を筐体１８に固定する筐体押さえ２０を有しており、各々２つの突出部２５を折り曲げて、第１電極板５と第２電極板６の間に配置する。
【００４６】
各々２つの突出部２５の複数の導線２３の端部１７Ａと１７Ｂを、一対の電極板１０の電極対４の複数の端部１３にそれぞれ接続する。
【００４７】
フレキシブル配線板２０７は、略Ｌ字型であって、フレキシブル配線板２０７の２つの端部周辺２４からそれぞれ突出する、第１電極板５と第２電極板６の電極対４の複数の端部１３に個別に接続される、複数の導線２３の複数の端部１７Ａと１７Ｂを有する各々２つの突出部２５を有している。フレキシブル配線板２０７は、更に、タッチパネル１を筐体１８と第２電極板６に取り付ける粘着層１９と、フレキシブル配線板２０７の接続部１６を有している。筐体１８をタッチパネル４００に取り付ける際の粘着層を新たに設ける必要がなく、部品点数の削減を行なうことができると共に、狭い額縁を有するタッチパネルを提供することができる。
【００４８】
図１０は、本発明の第八実施形態のタッチパネル５００のフレキシブル配線板３０７を示す。フレキシブル配線板３０７以外は、第七実施形態によるタッチパネル４００と実質的に同一の構成を有する。従って、対応する構成要素には、共通の参照符号を付してその説明を省略する。
フレキシブル配線板３０７は、第１電極板５の透明導電膜３を備えた面とは反対側の面をカバーする、ロの字型の窓部１３を有する枠体１４を、更に備えているので、第１電極板５に、よりしっかりと固定することができる。
【００４９】
第一実施形態〜第八実施形態のタッチパネル（１、５０、１００、１５０、２００、３００、４００、５００）の筐体押さえ２０を緩衝材に置き換えることにより、タッチパネルの仕様に応じて、衝撃に強いタッチパネルを提供することが出来る。緩衝材は、第１電極板６の、透明導電膜３を備えた面とは反対側の面１１の全面に設けることができる。
【００５０】
第一実施形態〜第八実施形態のタッチパネル（１、５０、１００、１５０、２００、３００、４００、５００）の緩衝材を、クッション材とすることにより、タッチパネルの仕様に応じて、市販のクッション材を使用でき、安価で衝撃に強いタッチパネルを提供することができる。クッション材は、第１電極板６の、透明導電膜３を備えた面とは反対側の面１１の全面に設けることができる。
【００５１】
第一実施形態〜第八実施形態のタッチパネル（１、５０、１００、１５０、２００、３００、４００、５００）の筐体押さえ２０を保護用のアクリル板に置き換えることにより、衝撃に強く、汚や湿気に強いタッチパネルを提供することができる。アクリル板は、第１電極板６の、透明導電膜３を備えた面とは反対側の面１１の全面に設けることができる。
【図面の簡単な説明】
【００５２】
【図１】第一実施形態のタッチパネル１の平面図を示す。
【図２】第一実施形態のタッチパネル１を枠部と枠押さえで固定したときの平面図を示す。
【図３】図２のＡ-Ａ断面図を示す。
【図４】第一実施形態のタッチパネル１のフレキシブル配線板の平面図を示す。
【図５】第一実施形態のタッチパネル１の第２電極板にフレキシブル配線板を取り付けたときの平面図を示す。
【図６】第四実施形態のタッチパネル１５０のフレキシブル配線板５７を示す。
【図７】第三実施形態のタッチパネル１００を図１のタッチパネル１と置き換えたときのＡ-Ａ断面図を示す。
【図８】第五実施形態のタッチパネル２００を図１のタッチパネル１と置き換えたときのＡ方向から見た時の部分斜視図を示す。
【図９】第五実施形態のタッチパネル２００のフレキシブル配線板２０７を示す。
【図１０】第七実施形態のタッチパネル３００のフレキシブル配線板３０７を示す。
【図１１】第八実施形態のタッチパネル４００を図１のタッチパネル１と置き換えたときのＡ方向から見た時の部分斜視透視図を示す。
【符号の説明】
【００５３】
１    タッチパネル
２    絶縁基板
３    透明導電膜
４    電極対
５    第１電極板
６    第２電極板
７    フレキシブル配線板
８    突出部
９    粘着層
１０    一対の電極板
１１    反対側の面
１３    ロの字型の窓部
１４    枠体
１６    接続部
１７    端部
１８    筐体
１９    粘着層
２０    筐体押さえ
２３    複数の導線
【図１】
0005068185.tif 000002
【図２】
0005068185.tif 000003
【図３】
0005068185.tif 000004
【図４】
0005068185.tif 000005
【図５】
0005068185.tif 000006
【図６】
0005068185.tif 000007
【図７】
0005068185.tif 000008
【図８】
0005068185.tif 000009
【図９】
0005068185.tif 000010
【図１０】
0005068185.tif 000011
【図１１】
0005068185.tif 000012